(57)【特許請求の範囲】
【請求項１】
天井と壁との境界部において天井を支持する天井支持構造であって、
前記壁の壁面から水平に延出するとともに前記壁面の幅方向に沿って水平に延在する延出片と、この延出片の基端部にこの延出片に対して直角に設けられるとともに前記壁面に固定される固定片とから断面Ｌ字状に形成されたランナを備え、
前記ランナの延出片上に天井を構成する天井材を支持する複数の野縁の端部が載置され、
前記野縁に天井材を取り付ける際の前記野縁の端部の前記ランナに対する移動を規制する野縁固定部材が野縁の端部毎にそれぞれ設けられ、
前記野縁固定部材は、前記野縁の端部の左右側面と上面に当接する断面略コ字状の被覆部と、この被覆部から延出して前記ランナに固定される固定部とを備え、
前記被覆部が前記野縁端部の上から被せられるとともに、前記固定部が前記ランナに固定され、
前記被覆部が水平な矩形状の天板と、左右の矩形状の側板とを備え、前記天板と側板の前記野縁の長さ方向における長さが等しくかつ、先端縁が揃っていること特徴とする天井支持構造。
【請求項２】
天井と壁との境界部において天井を支持する天井支持構造であって、
前記壁の壁面から水平に延出するとともに前記壁面の幅方向に沿って水平に延在する延出片と、この延出片の基端部にこの延出片に対して直角に設けられるとともに前記壁面に固定される固定片とから断面Ｌ字状に形成されたランナを備え、
前記ランナの延出片上に天井を構成する天井材を支持する複数の野縁の端部が載置され、
前記野縁に天井材を取り付ける際の前記野縁の端部の前記ランナに対する移動を規制する野縁固定部材が野縁の端部毎にそれぞれ設けられ、
前記野縁固定部材は、前記野縁の端部の左右側面と上面に当接する断面略コ字状の被覆部と、この被覆部の左右の側板の下縁部に水平に設けられ、前記ランナの延出片に固定される固定部とを備え、
前記被覆部が前記野縁端部の上から被せられるとともに、前記固定部が前記ランナの延出片に固定されていることを特徴とする天井支持構造。
【請求項３】
前記固定部には、前記ランナの延出片に掛止される爪部が設けられ、この爪部と固定部との間に前記延出片が挟みこまれることによって、前記固定部が前記延出片に固定されていることを特徴とする請求項２に記載の天井支持構造。
【発明の詳細な説明】
【技術分野】
【０００１】
本発明は、壁と天井との境界部分における天井支持構造に関する。
【背景技術】
【０００２】
建築物の天井の下地材については、ＪＩＳ  Ａ  ６５１７「建築用鋼製下地材（壁・天井）」に規定されている。しかしながら、同規格には、建築物における壁と天井との境界部の構造については記載がない。
壁と天井との境界部の一般的な構造は、壁体に設置されるとともに開口を側方に向けた断面溝型のランナに野縁が嵌めこまれ、石膏ボード等の天井板がランナおよび野縁にねじ止め等により固定されるものである（例えば、特許文献１および特許文献２参照）。
例えば、特許文献１の図１および特許文献２の図７には、断面溝形のランナに、野縁の端部が嵌め込まれて支持されている状態が図示されている。
また、別の構造として、特許文献２では、壁体の上枠ランナに個々の野縁に対応して固定された野縁支持部（軽天受部）により野縁（軽天材）が支持される構造が提案されている。この例では、各野縁毎に野縁支持部が形成される。なお、特許文献２等において、壁体の下地材枠の上枠である上枠ランナと、壁体に設置されて野縁を支持するランナとは異なるものである。
【先行技術文献】
【特許文献】
【０００３】
【特許文献１】特開２００２−２７６０６８号公報
【特許文献２】特開２００６−２１１４０９号公報
【発明の概要】
【発明が解決しようとする課題】
【０００４】
ところで、図１３に示すように、壁１と天井との境界部で壁１に野縁２の端部を支持させる構造においては、一点鎖線ａで示す野縁２の設置高さを維持するように野縁２を支持するだけではなく、野縁２に天井材３（図１４に図示）を固定する際に、野縁２が移動してしまわないように、矢印ｍで示す高さ方向（鉛直方向）の移動と、矢印ｎで示す水平方向の移動を規制するように取り付ける必要がある。少なくとも天井材の取り付け時に野縁２の端部が移動しないように、野縁２を壁側に仮止めする必要がある。
なお、一点鎖線ｂは、野縁２の端部の鉛直方向に沿った中心線であり、野縁２の水平方向の基準を示すものである。
【０００５】
野縁２に天井材３を固定するために、図１４（ａ）に示すように、天井材３の下側から野縁２にねじ４をねじ込む場合に、野縁２の下方への移動だけではなく、上方への移動も規制されていないと、図１４（ｂ）に示すように、ねじ４をねじ込もうとした際に、野縁２がねじ４に下から押されて上に浮いてしまい、ねじ止めが困難になる。そこで、図１４（ｃ）に示すように白抜き三角で示されるようにねじ止め時にかかる力に対する反力が生じるようにしておく必要がある。
【０００６】
また、図１５に示すように、各野縁２の高さ位置が高い精度で揃えられていないと、天井に不陸が生じてしまう虞がある。
また、図１６に示すように、天井材３の壁１側の側縁部が野縁２だけで固定されていると、隣り合う野縁２どうしの間の部分で、天井材３の自重により天井材３に矢印ｃで示す弛みが生じてしまう虞がある。天井と壁１の境界部で天井材３に弛みが生じると、天井の他の部分より弛みが認識し易く、僅かな撓みでも、天井の美麗を損ねる虞がある。なお、矢印ｃで示す弛み量は、分かり易いように実際の弛みより大きく図示したものである。
【０００７】
以上のような壁と天井との境界部における野縁の問題に対して、上述の開口を側方に向けて壁に取り付けられた溝形のランナに野縁の端部を嵌め込む方法では、溝形のランナの開口内に野縁の端部が挿入されて嵌め込まれているので、野縁の端部の垂直方向および水平方向の移動が規制される。特に、野縁の端部の上側に溝形のランナの上側の片が配置されることになり、天井材をねじ止め時にかかる力の反力を溝形のランナにより生じさせることができ、ねじ止めを容易に行うことができる。
【０００８】
また、溝形のランナが壁の全幅に渡って配置されるので、ランナを水平に壁に取り付ければ、各野縁の高さ位置を精度高く合わせることが可能であり、天井の不陸を防止できる。
また、壁の全幅に渡って溝形のランナが配置されるので、天井材の壁側の側縁部を野縁だけではなく、ランナの下側の片にも固定することが可能となり、天井材の弛みを確実に防止できる。
【０００９】
以上のことから、壁１側で天井材３および野縁２を支持するランナに求められる機能は、以下の５点になる。
第１の機能は、野縁を天井に対応した所定位置に仮設することができることである。すなわち、野縁の端部を置くことができる。
第２の機能は、野縁が所定位置からずれないようにすること。
第３の機能は、ランナを各野縁の高さのレベル出しの定規代わりに用いることにより、個々の野縁の高さレベルを備える作業を容易にすることである。
第４の機能は、天井材を野縁にねじ止めする際に反力が生じる構造とすることである。これにより、ねじを天井材を介して野縁に下からねじ込む際に、野縁が上に浮くのを防止して、ねじ止めを容易にできる。
第５の機能は、壁と天井の接触部分で、天井材をランナにねじ止めすることにより、天井材の弛みが出ないようにすることである。
【００１０】
第１の機能は、溝形のランナの下側のフランジにより実現され、第２および第４の機能は、溝形のランナの上下のフランジに野縁が挟まれた状態になることにより実現され、第３および第５の機能は、溝形のランナ（下側のフランジ）が壁の略全幅に渡って延在することにより実現される。
【００１１】
溝形のランナは、上述のような機能を全て備えることになるが、溝形のランナを壁の全幅に渡って設置する必要があることから、ランナとしての部材の使用量が多く、コスト的に高くなってしまうという問題がある。
特許文献２の壁体の上枠ランナに配置される野縁毎に個々に野縁の端部を支持する野縁支持部を設ける構成では、野縁を支持する断面溝形のランナを壁体の全長に渡って配置する一般的な技術に対して、野縁の端部を支持する部材の使用重量が低減され、これにより、コストの低減を図ることができる。
【００１２】
しかし、野縁支持部が墨出しされた位置に個々に設置・固定されるので、これらの施工精度がかなりよくないと野縁の高さ位置が揃わず不陸が生じる恐れがある。すなわち、上述の第３の機能がない。
また、個々の野縁支持部で野縁を支持する構造では、上述のように壁の全幅にわたるランナが無いので、壁と天井の境界部で、天井材が野縁部分だけで支持されることになり、上述のように天井材に弛みが生じる虞がある。すなわち、上述の第５の機能がない。
【００１３】
本発明は、前記事情に鑑みてなされたものであり、野縁に天井材を取り付ける際の野縁の移動を規制し、野縁の端部の設置位置の誤差による天井材の不陸を防止し、壁と天井との境界部における天井材の弛みを防止することが可能で、さらに、壁に設けられて野縁を支持する部材の使用重量を低減し、コストの低減を図ることができる天井支持構造を提供することを目的とする。
【課題を解決するための手段】
【００１４】
前記課題を解決するために、請求項１に記載の天井支持構造は、天井と壁との境界部において天井を支持する天井支持構造であって、
前記壁の壁面から水平に延出するとともに前記壁面の幅方向に沿って水平に延在する延出片と、この延出片の基端部にこの延出片に対して直角に設けられるとともに前記壁面に固定される固定片とから断面Ｌ字状に形成されたランナを備え、
前記ランナの延出片上に天井を構成する天井材を支持する複数の野縁の端部が載置され、
前記野縁に天井材を取り付ける際の前記野縁の端部の前記ランナに対する移動を規制する野縁固定部材が野縁の端部毎にそれぞれ設けられ、
前記野縁固定部材は、前記野縁の端部の左右側面と上面に当接する断面略コ字状の被覆部と、この被覆部から延出して前記ランナに固定される固定部とを備え、
前記被覆部が前記野縁端部の上から被せられるとともに、前記固定部が前記ランナに固定され、
前記被覆部が水平な矩形状の天板と、左右の矩形状の側板とを備え、前記天板と側板の前記野縁の長さ方向における長さが等しくかつ、先端縁が揃っていることを特徴とする。
【００１５】
請求項１に記載の発明においては、ランナが断面コ字状の溝形ではなく、断面Ｌ字状とされることにより、ランナになる部材の使用重量を低減することができる。
また、野縁の端部が溝形のランナに挟まれた状態ではなく、Ｌ字状のランナの延出片に載置された状態なので、このままの状態では、野縁に天井材を取り付ける際に、野縁が浮き上がったり、左右にずれたりする可能性がある。
【００１６】
そこで、ランナに対する野縁の移動を規制する野縁固定部材を野縁の端部毎にそれぞれ設けて、野縁の移動を規制することによって、野縁に容易に天井材を固定できるとともに、野縁のずれを防止できる。
また、野縁固定部材が、野縁の端部毎に設けられるので、野縁固定部材を設けるものとしても、部材の使用重量が大きく増えることがなく、溝形のランナを用いた場合よりも部材の使用量を抑えることができ、部材の使用量に基づくコストの低減を図ることができる。
【００１７】
また、野縁は、それぞれランナに載置されて支持されることによって、ランナにより上下位置が決められた状態であり、野縁の取り付け位置の誤差により天井に不陸が生じるのを防止することができる。
【００１８】
また、天井材を野縁だけではなく、ランナの延出片に固定することが可能であり、ランナと野縁との両方に天井材を取り付けることによって、天井と壁との境界部における天井材の弛みを防止することができる。
また、野縁固定部材の被覆部が、ランナ上に載置される野縁の端部に上から被せられて野縁端部の左右側面および上面に当接し、固定部がランナに固定されるので、野縁に天井材を取り付ける際に取り付け荷重が作用しても、被覆部から反力を取って、野縁の移動を抑えることができる。
さらに、天井材を野縁とランナとの両方に取り付けた場合に、天井材を介してランナと野縁が接続された状態になるので、天井材を野縁とランナとの両方に取り付けた後に、野縁固定部材のフランジがランナから外れても問題がない。したがって、固定部とランナとの接合を耐久性に優れたものとする必要がなく、接合にかかる手間やコストの低減を図ることができる。
【００１９】
請求項２に記載の天井支持構造は、天井と壁との境界部において天井を支持する天井支持構造であって、
前記壁の壁面から水平に延出するとともに前記壁面の幅方向に沿って水平に延在する延出片と、この延出片の基端部にこの延出片に対して直角に設けられるとともに前記壁面に固定される固定片とから断面Ｌ字状に形成されたランナを備え、
前記ランナの延出片上に天井を構成する天井材を支持する複数の野縁の端部が載置され、
前記野縁に天井材を取り付ける際の前記野縁の端部の前記ランナに対する移動を規制する野縁固定部材が野縁の端部毎にそれぞれ設けられ、
前記野縁固定部材は、前記野縁の端部の左右側面と上面に当接する断面略コ字状の被覆部と、この被覆部の左右の側板の下縁部に水平に設けられ、前記ランナの延出片に固定される固定部とを備え、
前記被覆部が前記野縁端部の上から被せられるとともに、前記固定部が前記ランナの延出片に固定されていることを特徴とする。
【００２０】
請求項２に記載の発明においては、固定部がランナの下側の延出片に固定されるので、野縁に天井材をねじ止めする際に、野縁に上に向う力がかかった際に、固定部と延出片との接合面に対して垂直に力がかかり、反力が得られ易い。したがって、固定部と延出片との接合に、接合力があまり強くない、より容易な方法を用いることが可能となり、上述の接着剤や両面テープによる接合を採用しやすい。したがって、請求項１における野縁固定部材を用いた場合よりも、野縁固定部材を用いた方が施工が容易になる可能性が高い。
【００２１】
請求項３に記載の天井支持構造は、請求項２に記載の発明において、前記固定部には、前記ランナの延出片に掛止される爪部が設けられ、この爪部と固定部との間に前記延出片が挟みこまれることによって、前記固定部が前記延出片に固定されていることを特徴とする。
【発明の効果】
【００２２】
本発明によれば、天井材取り付け時の野縁の移動を規制し、天井の不陸を防止し、かつ、天井と壁との境界部における天井材の弛みを防止した上で、さらに、野縁を壁に固定する部材の使用重量を低減することによりコストの低減を図ることができる。
【図面の簡単な説明】
【００２３】
【図１】本発明の実施形態に係る天井支持構造を示す要部斜視図である。
【図２】前記天井支持構造のランナを示す要部斜視図である。
【図３】前記天井支持構造の野縁固定部材を示す斜視図である。
【図４】天井材の取付方法における壁面の墨出しを説明するための図である。
【図５】天井材の取付方法におけるランナの取り付けを説明するための図である。
【図６】天井材の取付方法における野縁の仮置きを説明するための図である。
【図７】天井材の取付方法における野縁の固定を説明するための図である。
【図８】天井材の取付方法の変形例を説明するための図である。
【図９】野縁固定部材の変形例を説明するための図である。
【図１０】別の変形例としての野縁固定部材を示す斜視図である。
【図１１】別の変形例としての野縁固定部材を示す図であって、（ａ）は正面図であり、（ｂ）は平面図であり、（ｃ）は側面図である。
【図１２】（ａ）、（ｂ）は、別の変形例である野縁固定部材を用いた野縁の固定方法を説明するための図である。
【図１３】壁と天井の境界部の天井支持構造で求められる機能を説明するための図である。
【図１４】（ａ）、（ｂ）、（ｃ）は壁と天井の境界部の天井支持構造で求められる機能を説明するための図である。
【図１５】壁と天井の境界部の天井支持構造で求められる機能を説明するための図である。
【図１６】壁と天井の境界部の天井支持構造で求められる機能を説明するための図である。
【発明を実施するための形態】
【００２４】
以下、本発明の実施形態を図面を参照して説明する。
図１に示すように、この実施形態に係る天井支持構造は、壁１と天井（天井材３）との境界部における天井支持構造であり、野縁２の端部を壁１に固定された断面Ｌ字状のランナ１１と、野縁２をランナ１１に固定する野縁固定部材２１とにより支持する構造となっている。
【００２５】
図１および図２に示すように、ランナ１１は、壁１の壁面から水平に延出するとともに、壁面の幅方向に沿って延在する延出片１２と、この延出片１２の基端部にこの延出片１２に対して直角に設けられるとともに壁面に固定される固定片１３とから断面Ｌ字状に形成されている。ランナ１１は、例えばＬ形鋼からなるものである。なお、ランナ１１の材質は、鋼（普通鋼）に限られるものではなく、必要に応じて高強度鋼を用いるようにしてもよいし、ステンレス鋼を用いるようにしてもよいし、アルミ合金を用いるようにしてもよい。
【００２６】
ランナ１１は、水平に配置された状態で壁１の壁面の所定高さ位置に固定片１３が例えばねじ止め等により固定される。
壁面に固定されたランナ１１の延出片１２上に野縁２の端部を載せることによって、ランナ１１が野縁２を支持するようになっている。
【００２７】
図１および図３に示すように、野縁固定部材２１は、ランナ１１の延出片１２上に載置された野縁２の端部の水平方向および鉛直方向の移動を規制するものである。
野縁固定部材２１は、野縁２の端部の左右側面と上面に当接する断面略コ字状の被覆部２２と、この被覆部２２から延出してランナ１１に固定される固定部２３とを備えている。
【００２８】
野縁固定部材２１の被覆部２２は、水平な天板２４と、左右の側板２５とを備えて、上述のように断面コ字状とされている。
この実施形態において、野縁２としては、一般的な角形鋼管もしくは溝形鋼（リップ付き溝形鋼）からなっている。この野縁２は、天井に配置された状態で水平な平面である上面と、鉛直方向に沿った平面である左右の側面とを備えている。
【００２９】
したがって、被覆部２２の天板２４の下面に野縁２の端部の上面が当接し、被覆部の左右の側板２５の互いに対向する内面がそれぞれ、野縁２の端部の左右側面に当接するようになっている。
また、被覆部２２は、前後と下方とが開放した状態となっており、野縁２の端部に取り付ける際に、野縁２の上側から野縁２に被せるように取り付けられるようになっている。
【００３０】
前記固定部２３は、前記被覆部２２の左右の側板２５の前側の側縁部（ランナ１１に固定した場合にランナ１１の固定片１３に当接する側）からそれぞれ直角に外側に延出して形成されている。すなわち、固定部２３は、左右一対になるように２つ設けられている。
左右の固定部２３のランナ１１の固定片１３に接合される前面は、同一平面内に配置されている。
また、野縁固定部材２１は、例えば、薄鋼板をプレス加工などにより成形加工することによって製造される。
【００３１】
このような野縁固定部材２１は、壁面にランナ１１が固定され、ランナ１１の延出片上に野縁２の端部が載置された状態で、被覆部２２が野縁２の上から被せられて、天板２４の下面が野縁２の上面に当接させられ、左右側板２５の内側面が野縁２の左右側面に当接させられている。そして、左右の固定部２３の前面がランナ１１の固定片１３に当接させられるとともに、固定部２３がねじ２６により固定片１３に取り付けられている。
【００３２】
これにより、野縁２の端部が断面Ｌ字状のランナ１１と、野縁固定部材２１とにより、壁１の壁面の上端部に固定されている。
天井材３は、野縁２の下側から野縁２の下面に上面を当接させた状態で、天井材３の下側からねじ込まれるねじ３１により野縁２に固定される。
【００３３】
また、天井材３の壁１側の側縁部は、ランナ１１の延出片１２の下面に当接させられ、下側からねじ３１によりねじ止めされている。ランナ１１の延出片１２と天井材３とが複数箇所でねじ止めされるようになっている。
【００３４】
次に、壁１と天井の境界部における天井材の取付方法を説明する。
なお、以下の取付方法としての施工手順の説明および説明で参照する図は、野縁の一方の端部側になる壁と天井の境界部を取り上げているが、実際には、野縁および天井を挟む両方の壁側において、並行して野縁２の取付け等が行われる。
まず、図４に示すように壁１の壁面のランナ１１の設置位置に墨出しを行い、水平な一直線状の墨５を描く。なお、この直線である墨５は、例えば、ランナ１１の下端に対応するもので、ランナ１１の位置決めに際しては、ランナ１１の下端を墨５の位置に合わせる。
【００３５】
図５に示すように、壁面にランナ１１を位置決めした状態で、ランナ１１を壁面にねじ１４を用いてねじ止めする。この際には、Ｌ形鋼であるランナ１１の固定片１３の外面を壁に密着させ、墨５に位置合わせして、延出片１２が水平になった状態で、固定片１３の複数箇所をねじ止めすることにより、ランナ１１を壁に固定する。この際に、ランナ１１は、壁の下地材がある位置でねじ止めされる。なお、壁１の下地材枠の上枠ランナと、ランナ１１との位置が重なる場合には、壁１の下地材枠の上枠ランナにランナ１１を固定するようにしてもよい。
【００３６】
なお、一般的には天井材３を取り付ける前に、建物の天井より上の階の梁等に吊りボルトを取り付けるとともに、吊りボルトの下端側に野縁受けを設ける。吊りボルトおよび野縁受けは、予め設定された位置に設けられ、両端部を壁１に支持され野縁２の壁１どうしの間の部分を支持する。
【００３７】
次に、図６に示すように、ランナ１１の延出片１２の上に野縁２の端部を載置する。
この際には、上述の両方の壁側でランナ１１が既に取り付けられた状態で、野縁２の両端部がそれぞれランナ１１上に載置された状態になる。
【００３８】
次に、図７に示すように、野縁２の端部に、上側から野縁固定部材２１を被せる。これにより、被覆部２２の内側の面が上述のようにそれぞれ野縁２の下面を除く外側の面に当接した状態になる。この状態で、野縁固定部材２１の固定部２３をランナ１１の固定片１３に当接させるとともに、ねじ２６で固定部２３を固定片１３に取り付ける。
【００３９】
これにより、図１に示すように、野縁２の端部がランナ１１および野縁固定部材２１を介して壁１に固定される。
次に、上述の吊りボルトに支持された野縁受けに野縁２を取り付ける。また、天井面が広い場合には、吊りボルトの長さを調整して野縁受けや野縁２等の天井の下地が少しだけ上に凸になるように調整する。これにより、天井面が少しだけ上に凸になる。これをむくりと言い、広い部屋で天井面を水平に設けると、天井面の中央部が下がっているように見えてしまうのを防止するためである。
次に、野縁２および壁面に固定されたランナ１１の延出片１２に、天井材３を例えばねじ３１により固定する。
【００４０】
この天井支持構造にあっては、断面Ｌ字状で壁面の全幅に渡って配置されるランナ１１の壁面から延出する延出片に各野縁が支持されるので、各野縁の高さ位置を高い精度で合わせることができる。したがって、野縁の高さ位置のずれにより、天井に不陸が生じるのを防止できる。また、野縁２の端部がランナ１１と、野縁固定部材２１とにより固定され、天井材３の取付け時に野縁２の端部の移動が規制される。したがって、天井材３の取付け時に野縁が動いて天井材３の取付けが困難になったり、野縁２が位置ずれしたりするのを防止することができる。
【００４１】
また、天井材が野縁２だけではなく、壁面に沿ってランナ１１の延出片１２に天井材３を固定することができるので、壁と天井との境界部において、野縁２どうしの間で、天井材３が弛むのを防止できる。以上のことから、この実施の形態の天井支持構造においては、上述のランナに必要とされる５つの機能をランナ１１と野縁固定部材２１とで実現することができる。すなわち、ランナ１１により、野縁２の端部の仮置きを可能とする第１の機能と、各野縁２の高さレベルを合わせる第３の機能と、天井材３の壁側の側縁の弛みを防止する第５の機能とを実現できる。また、野縁固定部材２１により、野縁の位置ずれを防止する第２の機能と、野縁２に天井材３材をねじ止めする際に野縁２に作用する力の反力を生じさせる第５の機能とを実現できる。
【００４２】
このように、壁と天井の境界部で天井を問題なく支持できる構造において、ランナを従来の溝形ではなくＬ形（Ｌ字状）とすることにより、ランナ１１に使用される部材の使用重量を低減することができる。また、ランナ１１の他に、各野縁２にそれぞれ対応して野縁固定部材２１が必要になるが、野縁固定部材２１の部材としての使用重量を加えても、溝形のランナを使用した場合に比較して、部材の使用重量を低減し、コストの低減を図ることができる。
【００４３】
上述の実施形態では、野縁固定部材２１の固定部２３をランナ１１の固定片１３にねじ止めするようにしたが、固定部２３のランナ１１への取付けに際しては、図８に示すように、固定部２３のランナ１１の固定片１３側の側面に接着剤を塗布するか両面テープを貼り付けて、固定部２３の前記側面を接着面２８とし、この接着面２８を固定片１３に接着するようにしてもよい。
【００４４】
これは、野縁固定部材２１による野縁２の固定が、野縁２の端部を固定した後に、天井材３をねじ止め等で野縁２に取り付ける際に、取り付け荷重に対して野縁２がずれることのない反力を確保できるようになっていればよいためである。接着剤や両面テープによる固定で十分に上述の反力を確保できるのであれば、接着剤や両面テープを用いることにより、ねじ止めに比較して施工を容易にできる。
【００４５】
次に、野縁固定部材２１の変形例になる野縁固定部材４１を説明する。
図９に示すように野縁固定部材４１は、概略ハット形状を有するもので、被覆部４２と固定部４３とからなっている。被覆部４２は、上述の野縁固定部材２１の被覆部２２と同様の形状を有し、天板４４と左右の側板４５とから断面コ字状に形成されている。
【００４６】
固定部４３は、野縁固定部材２１と同様に、左右２つ設けられるが、その被覆部４２に対する接続位置が野縁固定部材２１と異なるものとなっている。野縁固定部材２１では、被覆部２２の左右の側板２５の前縁部に、固定部２３が垂直に設けられていたのに対して、野縁固定部材４１では、被覆部４２の左右の側板４５の下縁部に固定部４３が水平に取り付けられている。
【００４７】
野縁固定部材４１の固定部４３は、ランナ１１の延出片１２の上面に固定されるようになっている。この変形例の野縁固定部材４１では、被覆部４２の上端から固定部４３までの長さについて、野縁固定部材２１より高い精度が要求される。
【００４８】
しかし、この野縁固定部材４１では、固定部４３がランナ１１の下側の延出片１２に固定されるので、野縁２に天井材３をねじ止めする際に、野縁２に上に向う力がかかった際に、固定部４３と延出片１２との接合面に対して垂直に力がかかり、反力が得られ易い。したがって、固定部４３と延出片１２との接合に、接合力があまり強くない、より容易な方法を用いることが可能となり、上述の接着剤や両面テープによる接合を採用しやすい。したがって、上述の野縁固定部材２１を用いた場合よりも、野縁固定部材４１を用いた方が施工が容易になる可能性が高い。
【００４９】
次に、野縁固定部材４１の変形例である野縁固定部材５１を説明する。
図１０から図１２に示すように、野縁固定部材５１は、野縁固定部材４１と同様に概略ハット形状を有するもので、被覆部５２と固定部５３とからなっている。被覆部５２は、上述の野縁固定部材２１の被覆部２２と同様の形状を有し、天板５４と左右の側板５５とから断面コ字状に形成されている。
【００５０】
また、固定部５３は、被覆部５２の側板５５の下側縁に接続された形状で水平に配置されている。
野縁固定部材５１と野縁固定部材４１との相違点は、野縁固定部材５１の固定部５３にランナ１１の延出片１２に掛止（係合）される爪部５６が設けられている点である。
固定部５３は、その中央部に概略矩形状の爪部５６が設けられている。この爪部５６は、固定部５３からこの爪部５６の前縁部と左右側縁部が概略コ字状に切断され、固定部５３の残りの部分（爪部以外の部分）に対して爪部５６が略平行な状態で外方に移動するように爪部５６の後縁部が曲げられたものである。
【００５１】
この固定部５３の爪部５６と、固定部５３の本体（爪部５６以外の部分）との間には、延出片１２を挟むことが可能となっている。これにより、野縁固定部材５１がランナ１１に対して移動するのを防止することができる。
この野縁固定部材５１を用いた野縁２のランナ１１への固定方法は、ランナ１１の延出片１２に野縁２の端部を載置した状態で、野縁２の延出片１２に載った部分より中央側に野縁固定部材５１の被覆部５２を上から被せる。
【００５２】
次に、野縁２に被せた野縁固定部材５１を野縁２の端部側に向ってスライド移動させる。この際に、爪部５６と固定部５３との間に延出片１２を挟みこむようにする。これにより、野縁固定部材５１がランナ１１に対して上側に移動するのが規制されることになり、野縁２の鉛直方向の移動が規制される。また、爪部５６と固定部５３との間に延出片１２が挟まれた状態になることによって、野縁固定部材５１のランナ１１に対する水平方向の移動も抑制されることになり、野縁２の水平方向の位置ずれも防止される。
したがって、爪部５６を延出片１２に掛止させることによって、野縁固定部材５１がランナ１１に固定された状態となり、野縁固定部材５１のランナ１１への取り付け作業を簡略化することができる。
【符号の説明】
【００５３】
１        壁
２        野縁
３        天井材
１１      ランナ
１２      延出片
１３      固定片
２１      野縁固定部材
２２      被覆部
２３      固定部
４１      野縁固定部材
４２      被覆部
４３      固定部
５１      野縁固定部材
５２      被覆部
５３      固定部
【図１】
0005569214.tif 000002
【図２】
0005569214.tif 000003
【図３】
0005569214.tif 000004
【図４】
0005569214.tif 000005
【図５】
0005569214.tif 000006
【図６】
0005569214.tif 000007
【図７】
0005569214.tif 000008
【図８】
0005569214.tif 000009
【図９】
0005569214.tif 000010
【図１０】
0005569214.tif 000011
【図１１】
0005569214.tif 000012
【図１２】
0005569214.tif 000013
【図１３】
0005569214.tif 000014
【図１４】
0005569214.tif 000015
【図１５】
0005569214.tif 000016
【図１６】
0005569214.tif 000017